(57)【要約】【課題】乳房カップ部のカップワイヤやバック布端部による局所的な圧迫を軽減することにより、着け心地を向上させた衣料を提供する。【解決手段】乳房カップ部１と、前記乳房カップのほぼ前中心側から下側並びに脇側にかけてのほぼ下半部の湾曲縁に沿うカップワイヤ５とを具備した衣料であって、前記カップワイヤ５が、前記乳房カップ部１の表面に設けられた表布６によって表裏から挟み込まれた状態で、前記乳房カップ部１の表面側に取り付けられている。【選択図】  図３
2004332143.tif 000002
【特許請求の範囲】
【請求項１】
乳房カップと、前記乳房カップのほぼ前中心側から下側並びに脇側にかけてのほぼ下半部の湾曲縁に沿うカップワイヤとを具備した、乳房カップを有する衣料であって、
前記カップワイヤが、前記乳房カップの表布によって表裏から挟み込まれた状態で前記乳房カップの表面側に取り付けられたことを特徴とする乳房カップを有する衣料。
【請求項２】
アンダーバスト部分を正面から両脇にかけて覆う土台布を、前記乳房カップの裏面側にさらに備えると共に、前記カップワイヤと前記土台布との間に前記乳房カップの下端部が介在する、請求項１に記載の乳房カップを有する衣料。
【請求項３】
前記乳房カップが、低反発の不織布もしくは発泡ポリウレタンからなる、請求項２に記載の乳房カップを有する衣料。
【請求項４】
ブラジャー、ロングブラジャー、ブラスリップ、ブラキャミソール、乳房カップ付きテディ、ボディスーツ、レオタード、および水着から選ばれた衣料である、請求項１〜３のいずれか一項に記載の乳房カップを有する衣料。
【請求項５】
前記乳房カップの脇側から背面側へ延びる左右のバック布が、縁始末が不要な布を裁断されたままの状態で用いて形成された、請求項１〜３のいずれか一項に記載の乳房カップを有する衣料。
【請求項６】
前記バック布が、２枚の布を接着して形成され、縁始末がなされていない、請求項５に記載の乳房カップを有する衣料。
【請求項７】
バック布および／または土台布の少なくとも乳房カップ側端部が、縁始末不要な布を裁断したままの状態で、前記カップワイヤ部分において前記乳房カップと連結されている、請求項１〜３のいずれか一項に記載の乳房カップを有する衣料。
【請求項８】
アンダーバスト部分の正面から前記乳房カップの脇側を通って背面側へ延びる布地部片が、接ぎのない連続した布地で形成され、カップワイヤ部分において前記乳房カップと連結されている、請求項１〜３のいずれか一項に記載の乳房カップを有する衣料。
【請求項９】
前記布地部片の上下端部が波形状に裁断されている、請求項８に記載の乳房カップを有する衣料。
【請求項１０】
前記布地部片の上下端部が、上端部が凸であれば下端部が凹、上端部が凹であれば下端部が凸となるように裁断されている、請求項９に記載の乳房カップを有する衣料。
【請求項１１】
ブラジャーである、請求項５〜１０に記載の乳房カップを有する衣料。
【請求項１２】
乳房カップと、アンダーバスト部分を正面から両脇にかけて覆いかつ乳房カップの脇側を通って背面側へ延びる布地部片とを具備した、乳房カップを有する衣料であって、
前記布地部片が、縁始末が不要な布を裁断されたままの状態で用いて形成され、
前記布地部片の上下端部が、上端部が凸であれば下端部が凹、上端部が凹であれば下端部が凸となるように、波形状に裁断されていることを特徴とする乳房カップを有する衣料。
【発明の詳細な説明】
【０００１】
【発明の属する技術分野】
本発明は、乳房カップを有する衣料に関し、特に、カップワイヤやバック布端部などによる局所的な圧迫を軽減させることにより着用感を向上させた衣料に関する。
【０００２】
【従来の技術】
従来より、ブラジャー、ロングブラジャー、ボディスーツ、水着などの乳房カップを有する衣料は、女性用の被服として広く普及している。一般にこれらの女性用衣料は、乳房の形を整え、そのシルエットをできるだけ美しくするために、乳房カップの縁の下半部に、ほぼ円弧状の金属製のカップワイヤを備えたものが広く普及している。このカップワイヤは、その剛性を利用してカップの変形を食い止め、乳房の形を美しく保とうとするものである。
【０００３】
このようなカップワイヤを有する従来のブラジャーの代表例について、以下に説明する。図１３は、従来のカップワイヤを有するブラジャーの乳房カップ部の断面図である。図１３に示されるように、従来のブラジャーでは、カップワイヤ１０１が、着用者の肌への当たりをやわらげるためのバイアステープ１０２で覆われた状態で、乳房カップ部１０５および土台布１０６に、縫着により取り付けられている。乳房カップ部１０５は、表布１０３およびカップ裏打１０４から構成されている。カップ裏打１０４としては、着け心地を良くしたり、乳房の形の補正機能を持たせたりするために、例えばポリウレタン発泡体などの弾力性がありかつ比較的厚みのある材料を用いることもある。なお、図１３中に示す破線は、縫製線である。
【０００４】
また、このようなカップワイヤを有するブラジャーにおいて、カップワイヤにより着用者の皮膚に直接的な衝撃が加わるのを緩和するために、カップワイヤのバイアステープ内にクッション材を挿入することが、例えば特許文献１に記載されている。
【０００５】
【特許文献１】
特開２０００−１１０００５号公報（図３〜図６）
【０００６】
【発明が解決しようとする課題】
しかし、図１３に示したような従来のブラジャーでは、カップワイヤ１０１が乳房カップ部１０５よりも内側に設けられていることにより、カップ裏側から見た場合に、乳房カップ部１０５および土台布１０６に対するカップワイヤ１０１の段差が大きかった。このため、ブラジャーを着用した場合に、着用者の皮膚に対する圧力が、カップワイヤ１０１部分において局所的に高くなり、着け心地を損なうことがあるといった問題があった。
【０００７】
また、従来のブラジャーでは、乳房カップ部の脇側から背面側へ延びるバック布（バックストラップとも称される）が、裁断された縁の始末が必要な布地を用いて作成されることが一般的であった。この場合、バック布の上下端において裁断された縁を折り返して縫製により縁始末をする必要があり、始末された縁の厚みが、折り返された生地の分だけ増すこととなる。これにより、（１）ブラジャーのバック布のラインが着衣にひびき易くなる、（２）バック布が着用者の身体へ与える圧力が前記縁部分において局所的に高くなり、着用者に締め付け感を与えたり、長時間着用すると皮膚に跡が残ったりする、（３）縁始末の縫い目部分が皮膚への刺激となることもある、といった問題があった。
【０００８】
本発明はこれらの問題を解決するために、乳房カップ部のカップワイヤやバック布端部による局所的な圧迫を軽減することにより、着け心地を向上させた衣料を提供することを目的とする。
【０００９】
【課題を解決するための手段】
上記の目的を達成するために、本発明にかかる乳房カップを有する衣料は、以下のものである。
（１）本発明にかかる乳房カップを有する衣料は、乳房カップと、前記乳房カップのほぼ前中心側から下側並びに脇側にかけてのほぼ下半部の湾曲縁に沿うカップワイヤとを具備した、乳房カップを有する衣料であって、前記カップワイヤが、前記乳房カップの表布によって表裏から挟み込まれた状態で前記乳房カップの表面側に取り付けられたことを特徴とする。
（２）前記（１）にかかる構成の衣料において、アンダーバスト部分を正面から両脇にかけて覆う土台布を、前記乳房カップの裏面側にさらに備えると共に、前記カップワイヤと前記土台布との間に前記乳房カップの下端部が介在することが好ましい。
【００１０】
なお、前記（２）にかかる構成の衣料において、▲１▼前記表布の下端部が、前記カップワイヤと前記乳房カップの下端部との間に介在する構成、または、▲２▼前記表布の下端部が、前記乳房カップの下端部と前記土台布との間に介在する構成とすることが可能である。
（３）前記（２）にかかる構成の衣料において、前記乳房カップが、低反発の不織布もしくは発泡ポリウレタンからなることが好ましい。
【００１１】
なお、前記（１）〜（３）のいずれかにかかる構成の衣料において、▲１▼前記カップワイヤの芯材が、バイアステープにより表裏から挟み込まれた構成、または、▲２▼前記カップワイヤの芯材の表側のみがバイアステープで覆われた構成とすることが可能である。
（４）前記（１）〜（３）のいずれかにかかる構成の衣料においては、ブラジャー、ロングブラジャー、ブラスリップ、ブラキャミソール、乳房カップ付きテディ、ボディスーツ、レオタード、および水着から選ばれた衣料であることが好ましい。
（５）前記（１）〜（３）のいずれかにかかる構成の衣料においては、前記乳房カップの脇側から背面側へ延びる左右のバック布が、縁始末が不要な布を裁断されたままの状態で用いて形成されたことが好ましい。
（６）前記（５）にかかる構成の衣料においては、前記バック布が、２枚の布を接着して形成され、縁始末がなされていないことが好ましい。
（７）前記（１）〜（３）のいずれかにかかる構成の衣料においては、バック布および／または土台布の少なくとも乳房カップ側端部が、縁始末不要な布を裁断したままの状態で、前記カップワイヤ部分において前記乳房カップと連結されていることが好ましい。
（８）前記（１）〜（３）のいずれかにかかる構成の衣料においては、アンダーバスト部分の正面から前記乳房カップの脇側を通って背面側へ延びる布地部片が、接ぎのない連続した布地で形成され、カップワイヤ部分において前記乳房カップと連結されていることが好ましい。
（９）前記（８）にかかる構成の衣料においては、前記布地部片の上下端部が波形状に裁断されていることが好ましい。
（１０）前記（９）にかかる構成の衣料においては、前記布地部片の上下端部が、上端部が凸であれば下端部が凹、上端部が凹であれば下端部が凸となるように裁断されていることが好ましい。
（１１）前記（５）〜（１０）のいずれかにかかる構成の衣料は、ブラジャーであることが好ましい。
（１２）本発明の乳房カップを有する衣料は、乳房カップと、アンダーバスト部分を正面から両脇にかけて覆いかつ乳房カップの脇側を通って背面側へ延びる布地部片とを具備した、乳房カップを有する衣料であって、前記布地部片が、縁始末が不要な布を裁断されたままの状態で用いて形成され、前記布地部片の上下端部が、上端部が凸であれば下端部が凹、上端部が凹であれば下端部が凸となるように、波形状に裁断されていることを特徴とする。
【００１２】
【発明の実施の形態】
以下、本発明の実施形態について、図面を参照しながら説明するが、本発明はこれらの実施形態にのみ限定されるものではない。
（実施の形態１）
図１は、本発明の一実施形態にかかるブラジャーの斜視図である。図１に示すように、本実施形態にかかるブラジャーは、主に、乳房カップ部１、土台布２、バック布３、肩紐４、およびカップワイヤ５から構成される。なお、図１においては、構成を分かりやすく示すために、乳房カップ部１の表布と土台布２の表面のレース布の図示を省略したが、この図１のＡ−Ａ’断面を示した図３では、前記表布およびレース布も図示した。
【００１３】
乳房カップ部１は、弾性を有する材料（クッション材）を用いて、上カップ部１ａおよび下カップ部１ｂ・１ｃから形成されている。前記クッション材としては、不織布、発泡ポリウレタン、ダブルラッセル等が好適に用いられる。特に、クッション材として、カップワイヤの厚みを吸収することができる程度の反発係数を有する低反発発泡ポリウレタンを用いれば、カップワイヤの厚みが肌側に突出することが少なく、カップワイヤ部分において着用者の肌に触れる側をより平坦にすることができるので、最も好ましい。また、このクッション材の厚みは、上カップ部１ａで約５ｍｍ、下カップ部１ｂ・１ｃでカップのサイズに応じて７〜１０ｍｍの範囲とすることが好適である。
【００１４】
なお、この図では、乳房カップ部１のクッション材が３つの部分から構成されている例を示したが、上カップ部と下カップ部との２つで乳房カップ部１を形成しても良いし、乳房カップ部１の全体を１つのクッション材で形成することも可能である。あるいは、乳房カップ部１のクッション材を４つ以上のパッドから構成することも可能であるが、この場合、カップワイヤに当接するパッドが少なくとも下カップ部に当接するパッドと連続していることが好ましい。
【００１５】
このブラジャーにおいては、乳房カップ部１の脇側上端から最下点を通って内側上端へ至るように、ほぼ半円弧状のカップワイヤ５が取り付けられている。図３に示されるように、カップワイヤ５は、適度な弾力性および剛性を有する芯材５ａを、バイアステープなどと称される布地５ｂで表裏から挟み込むように覆い被せた状態で取り付けられている。バイアステープ５ｂの素材としては、芯材５ａの突き抜けを防止しうる布地であれば、任意の布地を用いることができる。なお、バイアステープ５ｂは、芯材５ａに対して表裏から縫着されていても良いし、接着剤などにより接着されていても良い。
【００１６】
芯材５ａとしては、鋼鉄ワイヤ、形状記憶合金ワイヤ、合成樹脂ワイヤなどを用いることができる。また、図３等では、断面が略楕円状の芯材を用いた例を示したが、これに限らず、断面が扁平形状、ほぼ円状、あるいは多角形状の芯材を用いても良い。
【００１７】
図３に示されるように、カップワイヤ５は、乳房カップ部１の表面を覆う表布６の下端部を折り返してなるループ部分に挟み込まれた状態で、乳房カップ部１の表側から、乳房カップ部１および土台布２に縫着される。なお、図３の例では、土台布２の表側には、装飾性を高めるための布としてレース布７を設けたが、レース以外の布を用いても良いし、土台布２だけであっても良い。すなわち、レース布７は必須ではない。
【００１８】
土台布２は、アンダーバスト部分を正面から両脇にかけて覆い、土台布２の背面側端部には、左右のバック布３がそれぞれ縫着されている。左右のバック布３の後端には、フック・アンド・アイとも呼ばれる鈎ホックの爪部（フック）３ａと後環部（アイ）３ｂとがそれぞれ取り付けられている。すなわち、着用時には、鈎ホックのフック３ａをアイ３ｂに引っかけて左右のバック布を連結し、脱ぐ場合はフック３ａとアイ３ｂとの連結を外す。すなわち、このブラジャーは、左右のバック布３が人体背面側で係止される後ろ開きタイプのブラジャーである。
【００１９】
表布６としては、例えば、トリコット、天竺、パワーネット、チュールパワーネットなどを用いることができる。また、装飾性を高めるために、レース生地を用いても良い。ただし、表布６はこれらに限定されず、任意の布地を用いることができる。
【００２０】
ここで、図３を参照しながら、本実施形態にかかるブラジャーの製造工程におけるカップワイヤ５の取り付け方の一例を説明する。なお、図３における４１〜４８は、縫着位置を示す線（縫製線）である。まず、縫製線４１で示すように、土台布２にレース布７を縫着する。次に、縫製線４２で示すように、土台布２に乳房カップ部１を縫着する。さらに、乳房カップ部１を縫着した土台布２の端部をレース布７側へ折り返し、縫製線４３で示すように押え縫いを施す。次に、表布６の端部にカップワイヤ５を載せて、縫製線４４で示すように縫着し、さらに、縫製線４５で示すように、乳房カップ部１および土台布２およびレース布７にも縫着する。そして、表布６を、カップワイヤ５を挟み込み、かつ乳房カップ部１の表面を覆うように折り返し、縫製線４６および４７で示すように、カップワイヤ５の芯材５ａの上下に二箇所、表布６から土台布２まで貫通させて押え縫いを施す。さらに、縫製線４８で示すように、表布６の上端部を乳房カップ部１の上端部に縫着する。
【００２１】
以上の工程により、カップワイヤ５が表布６により表裏から挟み込まれた状態で、乳房カップ部１および土台布２に縫着される。なお、縫着箇所、縫着方法、あるいは縫着順序は、この図に示した態様に限定されず、縫着の代わりに接着剤などによる仮止めで済む箇所もある。また、縫製線４６は、表布６、カップワイヤ５、乳房カップ部１、土台布２の全てを貫通するように記載されているが、表布６を貫通しなくとも良い。
【００２２】
なお、着用者の皮膚に接する箇所を極力平坦にするために、縫合箇所を少なくすることが好ましい。フック・アンド・アイと隣接するバック布、カップワイヤの上端や下端周囲に隣接するバック布や土台布など、着用時に負荷がかかりやすい箇所は、補強のため、１〜２ｃｍ程度縫合することがあっても差し支えない。
【００２３】
図３から分かるように、本実施形態のブラジャーでは、カップワイヤ５が、土台布２の表側に取り付けられている。従って、図１３に示した従来のブラジャーのようにカップワイヤが土台布の内側（着用者の皮膚に接する側）に取り付けられたものと比較すると、図２に示されるように、カップ裏側から見た場合の、乳房カップ部１および土台布２に対するカップワイヤ５部分の段差（突出量）が小さくなる。従って、着用者の皮膚に対してカップワイヤの芯材が与える局所的な圧力が従来よりも小さくなるので、肌当たりが良く、長時間着用しても着用者の皮膚にカップワイヤ跡が残りにくく、着用感に優れた衣料を提供できる。
【００２４】
また、本実施形態のブラジャーは、カップワイヤ５が表布６に表裏から挟み込まれた状態で取り付けられているので、正面から見た場合、カップワイヤ５が目立たず（あるいは全く見えず）、カップワイヤが外観を損なうことがない。
【００２５】
さらに、本実施形態のブラジャーでは、図３に示されるように、カップワイヤ５と土台布２との間に、乳房カップ部１のクッション材が介在していることにより、着用者の皮膚に対してカップワイヤ５の芯材５ａが与える局所的な圧力がさらに小さくなる。これにより、肌当たりが向上し、長時間の着用においても着用者の皮膚に跡が残ったり違和感や圧迫感を生じたりし難く、着用感に優れた衣料を提供できる。
【００２６】
また、本実施形態のブラジャーでは、図３に示されるように、カップワイヤ部分が、土台布２、乳房カップ部１のクッション材、表布６、芯材５ａ、およびバイアステープ５ｂのみからなっている。これにより、カップワイヤ部分の厚みを極力薄くすることができるという利点がある。
【００２７】
なお、本発明にかかる衣料は、上述の具体的な実施形態にのみ限定されるものではない。以下に、本発明の他の実施形態について、図面を参照しながら説明する。
【００２８】
図４は、本発明の他の実施形態にかかるブラジャーの構成を示すものであり、図１のＡ−Ａ’と同じ位置における断面図である。図４に示すブラジャーは、図３と比較することから明らかなように、カップワイヤ５が表布６で表裏から挟み込まれている点では前述の実施形態と同じであるが、カップワイヤ５の背面側と表布６との間に乳房カップ部１が挟み込まれている点において、前述の実施形態と異なる。なお、この構成において、装飾性を高めるために、土台布２の表面に、図３に示したレース布７等を設けても良い。
【００２９】
なお、図４において、５１〜５４は縫着位置を表す縫製線であるが、縫着箇所や縫着方法はこれに限定されない。縫着箇所は、これより増やしても良いし、縫着の代わりに接着を行うなどによって減らしても良い。また、縫製線５１は、表布６、カップワイヤ５、乳房カップ部１、土台布２の全てを貫通するように記載されているが、表布６を貫通しなくとも良い。
【００３０】
図４に示したブラジャーにおいても、カップワイヤ５が、土台布２の表側に取り付けられている。従って、従来のブラジャー（図１３参照）のようにカップワイヤが土台布の内側（着用者の皮膚に接する側）に取り付けられたものと比較すると、カップ裏側から見た場合の、乳房カップ部１および土台布２に対するカップワイヤ５部分の段差（突出量）が小さくなる。従って、着用者の皮膚に対してカップワイヤの芯材が与える局所的な圧力が従来よりも小さくなるので、肌当たりが良く、長時間の着用においても着用者の皮膚にカップワイヤ跡が残りにくく、着用感に優れた衣料を提供できる。
【００３１】
また、図４に示したブラジャーも、カップワイヤ５が表布６に表裏から挟み込まれた状態で取り付けられているので、正面から見た場合、カップワイヤ５が目立たず（あるいは全く見えず）、カップワイヤが外観を損なうことがない。
【００３２】
さらに、図４に示したブラジャーも、カップワイヤ５と土台布２との間に、乳房カップ部１のクッション材が介在していることにより、着用者の皮膚に対してカップワイヤ５の芯材５ａが与える局所的な圧力がさらに小さくなる。これにより、肌当たりが向上し、長時間の着用においても着用者の皮膚に跡が残ったり違和感や圧迫感を生じたりし難く、着用感に優れた衣料を提供できる。
【００３３】
さらに、図４に示したブラジャーも、カップワイヤ部分が、土台布２、乳房カップ部１のクッション材、表布６、芯材５ａ、およびバイアステープ５ｂのみからなっている。これにより、カップワイヤ部分の厚みを極力薄くすることができるという利点がある。
【００３４】
また、本発明のさらに他の実施形態を図５に示す。図５に示したブラジャーでは、カップワイヤ５の芯材５ａが、その表側だけをバイアステープ５ｂで覆われている点において、図３に示した構成と異なっている。なお、この構成において、装飾性を高めるために、土台布２の表面に、図３に示したレース布７等を設けても良い。
【００３５】
なお、図５において、６１〜６４は縫着位置を表す縫製線であるが、縫着箇所や縫着方法はこれに限定されない。縫着箇所は、これより増やしても良いし、縫着の代わりに接着を行うなどによって減らしても良い。また、縫製線６１は、表布６、カップワイヤ５、乳房カップ部１、土台布２の全てを貫通するように記載されているが、表布６を貫通しなくとも良い。
【００３６】
図５に示したブラジャーでは、カップワイヤ５が乳房カップ部１の表面側に取り付けられており、芯材５ａよりも内側（着用者の肌側）に乳房カップ部１のクッション材が介在しているので、カップワイヤ５の肌への当りを軽減できる。また、芯材５ａの裏側をバイアステープで覆わなくとも、芯材５ａの表側をバイアステープで覆うことによって芯材５ａを固定しているので、芯材５ａの突き抜けを防止することができる。
【００３７】
従って、図５に示したブラジャーは、芯材５ａの表裏をバイアステープで覆う構成と比較して、カップワイヤ部分の厚みをより薄くすることができるので、カップ裏側から見た場合の、乳房カップ部１および土台布２に対するカップワイヤ５部分の段差（突出量）がさらに小さくなる。従って、着用者の皮膚に対してカップワイヤの芯材が与える局所的な圧力が従来よりもさらに小さくなるので、肌当たりが良く、長時間の着用においても着用者の皮膚にカップワイヤ跡が残りにくく、着用感に優れた衣料を提供できる。
【００３８】
なお、図５に示したブラジャーのさらなる変形例として、図４に示した構成と同様に、表布６の下端部を乳房カップ部１と土台布２との間に挟み込んだ構成としても良い。
【００３９】
以上、図面を参照しながら本発明の一実施形態について説明したが、本発明にかかる衣料は、上述の各具体例にのみ限定されるものではなく、発明の範囲内で種々の変更が可能である。例えば、図３等に示したブラジャーでは表布が１枚であるが、表布を２枚以上具備した構成としても良い。この場合、少なくとも最も内側の表布でカップワイヤを表裏から挟み込んだ状態でカップワイヤを取り付ければ良い。また、図１等では後ろ開きタイプのブラジャーを例示したが、前開きタイプのブラジャーにも本発明を適用できる。さらに、土台布およびバック布が着用者のほぼウェスト位置まで及ぶいわゆるロングブラジャーにも本発明を適用できる。また、本発明にかかるブラジャーの乳房カップ部としては、乳房全体を覆うフルカップ、乳房の脇側から約３／４を覆う３／４カップ、乳房の下側から約半分を覆う１／２カップなど、任意のタイプの乳房カップを用いることができる。また、図１等では肩紐を有する衣料を例示したが、本発明にかかる衣料において肩紐は必須ではない。従って、肩紐が取り外し可能な衣料または肩紐がないタイプの衣料にも、本発明を適用できる。
【００４０】
また、本発明にかかる衣料は、ブラジャーまたはロングブラジャーのみに限定されず、例えば、ブラスリップ、ブラキャミソール、乳房カップ付きテディ、ボディスーツ、レオタード、水着など、乳房カップを有する衣料に広く適用しうる。
（実施の形態２）
本発明のさらに他の実施形態について図面を参照しながら以下に説明する。図６は、本実施形態にかかるブラジャーの構成を示す斜視図である。図６に示した本実施形態にかかるブラジャーは、アンダーバスト部分を正面から両脇にかけて覆う部分（図１の土台布２に相当する部分）と、乳房カップ部１の脇側から背面側へ延びる部分（図１のバック布３に相当する部分）を、裁断されたままの状態でもほつれが生じず、その裁ち端（裁断されたままの縁）が縁始末不要な縁となるような生地を用いた左右一対の布地部片９により形成した。この布地部片９において、前記縁始末不要な生地を、その裁断されたままの端部がバック布の上下端の縁となるように用いる。なお、図６の例では、左右一対の布地部片９を前中心で縫合した構成例を示したが、前中心の縫合線をなくし、左右が連続した布地部片によって構成されていても良い。
【００４１】
ここで、縁始末不要な生地を用いることの利点を、縁始末が必要な生地を用いる場合と対比させて説明する。バック布として縁始末が必要な生地を用いた場合は、バック布の上下端において裁断された縁を折り返して縫製する、あるいはテープ材を縫着することにより、縁始末をする必要がある。この場合、始末された縁の厚みが、生地を折り返した分だけ増すこととなり、ブラジャーのバック布のラインが着衣にひびき易くなる。また、バック布の上下端の縁部分において厚みが増すことにより、バック布が着用者の身体へ与える圧力が、前記縁部分において局所的に高くなる。これにより、着用者に締め付け感を与えたり、長時間着用すると皮膚に跡が残ったりする。また、縫い目部分が皮膚への刺激となることもある。一方、本実施形態のように、布地部片９として、裁ち端の縁始末不要な生地を用いることにより、縁始末する必要がなくなる。従って、上述の問題は全て解決され、着け心地の良い衣料を提供することができる。
【００４２】
図７は、図６のＢ−Ｂ’断面を示したものである。上述のような布地部片９を用いる場合、縁始末が不要であることから、図７に示すように、布地部片９は、カップワイヤ５の当接部分において、裁断されたままの状態で乳房カップ部１のクッション材と連結することができる。つまり、端部が一重のままでクッション材と縫着などにより連結することができるので、その上端部を折り返すことなく連結でき、連結箇所を薄くできる。
【００４３】
なお、図７において、７１〜７３は縫着位置を表す縫製線であるが、縫着箇所や縫着方法はこれに限定されない。縫着箇所は、これより増やしても良いし、縫着の代わりに接着を行うなどによって減らしても良い。また、縫製線７１は、表布６、カップワイヤ５、乳房カップ部１、布地部片９の全てを貫通するように記載されているが、表布６を貫通しなくとも良い。
【００４４】
布地部片９としては、裁断したままで縁始末不要な布を１枚のみ用いても良いし、裁断したままで縁始末不要な同形状の布を２枚重ねて樹脂接着して一体化させたものを用いても良い（このように一体化させた２枚の布を、「１枚」と数えることもある）。後者の場合、布地部片９の強度を向上させることができる点で好ましい。なお、樹脂接着は、２枚の布の全体またはその一部に接着剤を塗布することによって行う。
【００４５】
また、布地部片９は、縁始末不要な布を裁断されたままの状態で、裁断端が部片９の上下端となるように使用し、上下端部の少なくとも一方が波形状であることが好ましく、特に、図６に示すように、乳房カップ部１の脇側から背面までの上下端部が波形状に裁断されていることが好ましい。波形状のカーブの数は任意であるが、布地部片９の上下端部のそれぞれについて２〜８個であることが好ましく、特に３〜６個程度とすることが、着圧を分散できる点においてより好ましい。なお、「カーブの数」とは、布地部片９の端部における波形の凸部の数と凹部の数のうちの多い方の数をいう。これにより、着用者の身体に対する圧迫を分散させて着用感を向上させると共に、特に、着用時に、乳房カップ部１と背面のフック・アンド・アイとの間において張力がかかった時に、特定の箇所に着圧が集中するのではなく、バック布全体に着圧がバランス良くかかることになり、着圧が分散されて着用感が向上する。また、薄手の衣服を着けた場合などに、ブラジャーのバックストラップのラインが着衣にひびくことを防止できる。
【００４６】
なお、布地部片９の上下端部の波形状は、図１１（ａ）に示すように、バック布の上下端部が、上端部が凸であれば下端部が凹、上端部が凹であれば下端部が凸となるような波形状に裁断することが好ましい。ここで、この裁断形状が好ましい理由を、図１１（ｂ）に示すような波形状に裁断した場合と比較して説明する。例えば、図１１（ｂ）に示すように、バック布の上下端部が、上端部が凸であれば下端部も凸、上端部が凹であれば下端部も凹となるように裁断することも可能ではあるが、裁断された縁にはゴムテープなどが縫着されていないので、身体へのフィット性が悪いという問題がある。特に、波形状の、外に向けて突出した部分（凸部分）のフィット性が悪く、身体から浮き易いという問題がある。これに対して、布地部片９を、図１１（ａ）に示すように、上端部が凸であれば下端部が凹、上端部が凹であれば下端部が凸となるように裁断することにより、ゴムテープなどを縫着しなくても、布地部片９が身体にバランス良くフィットし、浮き上がりや局部的な圧迫感がないという利点がある。また、図１１（ａ）に示すような布地部片９を用いれば、着用時に、乳房カップ部１と背面のフック・アンド・アイとの間において張力がかかった時に、特定の箇所に着圧が集中するのではなく、バック布全体に着圧が分散されてバランス良くかかる。さらに、着用時に、乳房カップ部１と背面のフック・アンド・アイとの間に張力がかかった時に、実際の波形の端部ラインではなく、乳房カップ部１と布地部片９とが連結する上端とフック・アンド・アイの上端とを結ぶライン（図１２に示す破線Ｌ１参照）、および、乳房カップ部１と布地部片９とが連結する下端とフック・アンド・アイの下端とを結ぶライン（図１２に示す破線Ｌ２参照）、の二つのラインの上下間に張力がかかることとなる。そして、波形状の凹凸の頂点が前記ラインの上下に交互に現れることにより、波形状端部の身体へのフィット性が向上し、身体への着圧バランスが良くなる。
【００４７】
このような、裁ち端が縁始末不要な縁となるような布地部片９の素材としては、例えば次に示すような編み組織を有する生地を用いることができるが、特に以下のもののみに限定されるものではなく、その裁ち端がほぐれずに縁始末不要な縁となるような生地であれば、他の編み組織を有する生地を用いることを除外するものではない。
【００４８】
布地部片９として用いられる、裁断されたままの状態で縁始末不要な縁を形成しうる布地は、非弾性糸と弾性糸を同行させた１×１編み組織からなることが好ましい。非弾性糸と弾性糸とを用いることで、適度の伸縮性を付与することができる。この場合、この編み組織は、（１）各編針において非弾性糸と弾性糸のうちの少なくとも一方が閉じ目により編成された伸縮性経編地、（２）各編針において非弾性糸と弾性糸のうちの両方が閉じ目により編成された伸縮性経編地、（３）各編針において非弾性糸と弾性糸のうちの両方が開き目により編成された伸縮性経編地、のいずれかであることが好ましい。前記（１）（２）のように、１×１の編み組織とし、かつ、各編針において非弾性糸と弾性糸のうちの少なくとも一方を閉じ目により編成することにより、編目の安定、裁断されたままの縁のほつれの防止を達成できる。１×１の編み組織としては、１×１のトリコット編みが好ましく、特にラッシェル編機ないしはジャカードラッシェル編機で編まれた１×１のトリコット編みが好ましい。
【００４９】
前記伸縮性経編地は、２．５４ｃｍ（１インチ）当たり５５ウェールを超える密度に編成されていることが好ましい。なお、編成密度は大きい方が好ましく、２．５４ｃｍ（１インチ）当たり６０ウェールを超える密度であればより好ましく、２．５４ｃｍ（１インチ）当たり６５ウェールを超える密度、さらに７０ウェールを超える密度であることが最も好ましい。
【００５０】
非弾性糸のランナー（Ａ）と弾性糸のランナー（Ｂ）との比率（Ａ／Ｂ）が、１．１５以上であることが好ましい。この比率（Ａ／Ｂ）は大きい方が好ましく、１．２以上であればより好ましく、１．３以上であることが最も好ましい。
【００５１】
かかる伸縮性経編地においては、編目の安定性、裁断されたままの縁のほつれ防止効果などを得る目的で、プレセット処理または／およびヒートセット処理の施されているものが好適である。処理温度は、装置の形状、プレセット処理時間、ヒートセット処理時間、素材の種類、編地の厚さなどにもよるが、１８０℃以上、好ましくは１８５℃以上の温度で、さらに確実に前記の効果を得るには１９０℃から１９５℃の範囲で前記処理が施されていると、編地の一部が軟化し軽く融着して編地の形態が安定し、裁断されたままの縁が特にほつれにくくなり好ましい。ヒートセット処理時間は、例えば６〜８チャンバー構成（チャンバーの合計長さが約１５〜３０ｍ）の装置を用いた場合、１５〜４０ｍ／分程度、好ましくは２４〜３６ｍ／分程度が良い。
【００５２】
また、一般的な編地では、仕上巾を１６０ｃｍ前後にするが、この伸縮性編地では可能な範囲で高密度に編成したものが、伸縮性衣類において編目の美しさを保持しつつ、その安定性を向上するために望ましい。伸縮性編地の密度は、使用する編糸の繊度等にもよるが、２．５４ｃｍ（１インチ）当たり５５ウェールを超えることが好ましい。なお、伸縮性編地の密度は大きい方が好ましく、６０ウェールを超えればさらに好ましく、６５ウェールを超えて、例えば７０ウェール前後の高密度に編地を編成し、編地のよこ伸びの割合を大きくすることが最も好ましい。ただし、非弾性糸としてセルロース糸や綿糸が編み込まれている場合はこの限りではない。
【００５３】
さらに、通常に較べて使用糸量を増やし、非弾性糸のランナーを弾性糸のランナーよりも大きくアンバランスな伸縮性経編地を好ましく使用する。具体的には、通常８０ｃｍ／ラック以下の非弾性糸のランナーを８５〜１２０ｃｍ／ラック、好ましくは９５〜１１５ｃｍ／ラックとし、通常６０ｃｍ／ラック以下の弾性糸のランナーを７０〜１１０ｃｍ／ラック、好ましくは７５〜１０５ｃｍ／ラックにして編成することが好ましい。
【００５４】
なお、ここで「ランナー」とは、一定コース数（これを「ラック」と言い、通常、４８０コースを１ラックとする）を編むのに使用する糸の長さ（ｃｍ）を言い、ランナーの値が小さいほど、すなわち１ラック当たりの糸の長さが短いほど、編組織が締まってきつくなる。
【００５５】
なお、本発明で用いる裁断されたままの状態で縁始末不要な縁を形成しうる経編地は、通常、筬が２４ゲージ以上のラッシェル編機で編まれ、従ってレース生地は含まれない。
【００５６】
図１０は、布地部片９の裁断図である。なお、図中に示す矢印は、生地の編みたて方向を示す。このように、布地部片９を、生地の編みたて方向に対して平行でない角度で裁断すれば、端部がほつれにくいので好ましい。また、図１０に示した例のように、布地部片９を、生地の編みたて方向に対してほぼ垂直に裁断すれば、バック布の横方向の伸びが良くなるという利点もあるので、さらに好ましい。なお、図１０では、布地部片の上下端部に、波形状の凹凸がほぼ３周期現れるように裁断する例を示したが、凹凸の数はこれに限定されない。
【００５７】
なお、布地部片９は、図１０に示すように、乳房カップ部１の脇においては、下端部が凹、上端部が凸となるように裁断されていることが好ましい。
【００５８】
また、一つのカーブの長さが３ｃｍ以上であることが好ましい。「カーブの長さ」とは、図１２内に寸法例を表記したように、波形状カーブの凸部頂点からその隣の凸部頂点までの距離、あるいは、波形状カーブの凹部頂点からその隣の凹部頂点までの長さをいう。なお、図１２に示した寸法例は、あくまでも一例であって、本発明をこの実施例にのみ限定するものではない。なお、カーブの長さは大きい方が好ましく、５ｃｍ以上であればより好ましく、７ｃｍ以上であることが最も好ましい。なお、この数値長さは、アンダーサイズが７０の場合を基準とするものである。
【００５９】
布地部片９の上下端それぞれにおいて、乳房カップ部１の脇から背面側の後端までに現れるカーブの数が、２〜８個であることが好ましく、特に、３〜６個程度とすることが、着圧を分散できる点においてより好ましい。なお、「カーブの数」とは、布地部片９の波形状の端部における凸部の数と凹部の数のうちの多い方の数をいう。例えば、図１２に示した例では、布地部片９の上端部における凸部の数は３個、凹部の数も３個である。布地部片９の下端部も、凸部の数は３個、凹部の数も３個である。従って、この例における「カーブの数」は３である。
【００６０】
また、肩紐４は、布地部片９の上端部の凸部分に取り付けられていることが好ましい。
【００６１】
布地部片９は、裁断されたままの状態で縁始末不要な縁を形成しうる布地を１枚だけ用いて形成されていても良いし、このような布地を２枚重ねて、その全体または一部を互いに接着することによって形成されていても良い。
【００６２】
また、布地部片９の波形のカーブ形状、カーブの長さ、凹凸の高さなどは、バック布の上下端部において類似であれば良く、互いに同一でなくとも良い。波形カーブの凸部の頂点と凹部の頂点は、バック布の上下において同位置であることが好ましいが、左右に若干ずれていても良い。すなわち、バック布の上下において波形カーブが同一もしくは同一に近い類似形状であれば、着圧バランスを良くすることができる。
【００６３】
なお、図６および図７に示した実施形態の変形例として、図４に示した実施形態と同様に、表布６を乳房カップ部１と布地部片９との間に挟み込んだ構成も可能であり、この構成も本発明の技術的範囲に属する。さらに、図６および図７に示した実施形態の変形例として、図５に示した実施形態と同様に、バイアステープ５ｂを芯材５ａの表側のみに設けた構成も可能である。
【００６４】
なお、本実施形態にかかるブラジャーにおいても、着用者の皮膚に接する箇所を極力平坦にするために、縫合箇所を少なくすることが好ましい。フック・アンド・アイと隣接するバック布、カップワイヤの上端や下端周囲に隣接するバック布や土台布など、着用時に負荷がかかりやすい箇所は、補強のため、１〜２ｃｍ程度縫合することがあっても差し支えない。
【００６５】
発明者らは、本発明の効果を確認するために、以下のサンプルを試作し、着用者の身体の各部に加わる圧力を測定した。
【００６６】
本発明にかかるブラジャーのサンプル（実施例）として、図６および図７に示した構成のブラジャーを作成した。カップワイヤ５の芯材５ａとしては、日本工業規格（ＪＩＳ）のＧ３５０６「ＳＷＲＨ８２Ａ」の硬鋼線材を用いた。その厚みは０．６ｍｍ、幅は２．４ｍｍであった。また、乳房カップ部１のクッション材としては低反発発泡ポリウレタンを用い、表布６としてはレースを用いた。
【００６７】
本発明の比較例として、図８に示すように、カップワイヤ８５が着用者の皮膚に接するように取り付けられた構成のブラジャーを作成した。比較例としてのブラジャーは、芯材８５ａ、乳房カップ部８１、および表布８６のそれぞれについて、上述の本発明にかかるサンプルと同じ素材を用いた。なお、土台布８２としてはマーキジットを用いた。
【００６８】
女性の上半身を模したトルソを用意し、図９（ａ）および（ｂ）に示すように、Ｐ１〜Ｐ４の４箇所に圧力センサを設置した。圧力センサとしては、株式会社ＡＭＩ製のＡＭＩ３０３７を用いた。このトルソに、本発明にかかるブラジャーのサンプル（実施例）と、比較例のブラジャーとを着けて、エアパック方式（接触間に閉じ込めたエアで受圧し、大気との差圧を測定する方法）によって、Ｐ１〜Ｐ４の各ポイントにおける圧力を測定した。測定結果を下記の（表１）に示す。なお、測定ポイントＰ１は、バージスライン（乳房の周囲の縁に相当するライン）の下方脇であって、カップワイヤを有するブラジャーを着用した際に、ワイヤが当たって痛みを感じる人が多い箇所である。
【００６９】
【表１】
2004332143.tif 000003
【００７０】
（表１）に示されたように、Ｐ１〜Ｐ４の全ての測定ポイントにおいて、本発明の実施例にかかるブラジャーが着用者の身体に加える圧力が、比較例よりも小さくなっている。特に、多くの人がワイヤが当たって痛いと感じる箇所である測定ポイントＰ１の圧力が、比較例の約１／２になっている。この結果より、本発明の実施例にかかるブラジャーでは、カップワイヤによる局所的な圧力が軽減され、肌当たりや着用感が向上していることが分かる。また、測定ポイントＰ２，Ｐ３の測定値を比較することにより、バック布の上下辺における圧力差が、実施例の方が比較例よりも小さいことが分かる。つまり、特定の箇所に強く着圧がかかっておらず、着圧のバランスが良いことがわかる。
【００７１】
以上の測定結果から分かるように、本実施形態にかかるブラジャーでは、カップワイヤやバック布の上下端部による局所的な圧迫が軽減され、着け心地が向上されている。
【００７２】
なお、図６および図７に示したように、（１）カップワイヤを表布で表裏から挟み込んだ状態で乳房カップ部の表面側に取り付け、（２）バック布として裁断したままで縁始末が不要な素材を用いる、という二つの特徴を具備した構成が、カップワイヤおよびバック布上下端部による局所的な圧迫の両方を軽減できるので、本発明の実施形態としては最も好ましい。ただし、発明としては、上記（１）（２）の両方の特徴を具備する必要はなく、いずれか一方の特徴のみを有していれば、本発明の技術的範囲に属する。すなわち、上記（１）の特徴を有していれば、カップワイヤによる局所的な圧迫を軽減でき、上記（２）の特徴を有していればバック布上下端部による局所的な圧迫を軽減でき、いずれにおいても従来のブラジャーよりも優れた着用感が得られるからである。従って、上記（２）の特徴を有していれば、カップワイヤは必須の構成要件ではない。
【００７３】
以上、図面を参照しながら本発明の他の実施形態について説明したが、本発明にかかる衣料は、上述の具体例にのみ限定されるものではなく、発明の範囲内で種々の変更が可能である。例えば、図７に示したブラジャーでは表布が１枚であるが、表布を２枚以上具備した構成としても良い。この場合、少なくとも最も内側の表布でカップワイヤを表裏から挟み込んだ状態でカップワイヤを取り付ければ良い。なお、前述したように、カップワイヤは必ずしも必須の構成要件ではない。また、図６では後ろ開きタイプのブラジャーを例示したが、前開きタイプのブラジャーにも本発明を適用できる。また、本発明にかかるブラジャーの乳房カップ部としては、乳房全体を覆うフルカップ、乳房の脇側から約３／４を覆う３／４カップ、乳房の下側から約半分を覆う１／２カップなど、任意のタイプの乳房カップを用いることができる。また、図６では肩紐を有する衣料を例示したが、本発明にかかる衣料において肩紐は必須ではない。従って、肩紐が取り外し可能な衣料または肩紐がないタイプの衣料にも、本発明を適用できる。
【００７４】
【発明の効果】
以上に説明したように、本発明によれば、カップワイヤまたはバック布上下端部による局所的な圧迫を軽減することにより、着用感が向上された乳房カップを有する衣料を提供できる。
【図面の簡単な説明】
【図１】本発明の一実施形態にかかるブラジャーの斜視図。
【図２】図１に示すブラジャーを裏面から見た様子を表す平面図。
【図３】図１におけるＡ−Ａ’断面を表す断面図。
【図４】本発明の他の実施形態にかかるブラジャーの構成を示す断面図。
【図５】本発明のさらに他の実施形態にかかるブラジャーの構成を示す断面図。
【図６】本発明の他の実施形態にかかるブラジャーの斜視図。
【図７】図６におけるＢ−Ｂ’断面を表す断面図。
【図８】本発明にかかるブラジャーとの比較例にかかるブラジャーの構成を示す断面図。
【図９】（ａ）は、本発明の実施例および比較例にかかるブラジャーによる身体への圧迫を測定するための圧力センサを取り付けたトルソの正面図、（ｂ）は同トルソの側面図。
【図１０】図６に示すブラジャーのバック布を含む布地部片の裁断図。
【図１１】（ａ）は、実施形態２にかかるブラジャーのバック布を含む布地部片の好適な形態の一例を示す平面図、（ｂ）はその比較例を示す平面図。
【図１２】実施形態にかかる布地部片の一例を示す裁断図。
【図１３】従来のブラジャーの構成の一例を示す断面図。
【符号の説明】
１          乳房カップ部
１ａ        上カップ部
１ｂ        下カップ部
１ｃ        下カップ部
２          土台布
３          バック布
３ａ        フック
３ｂ        アイ
４          肩紐
５          カップワイヤ
５ａ        芯材
５ｂ        バイアステープ
６          表布
９          布地部片
４１〜４８  縫製線
５１〜５４  縫製線
６１〜６４  縫製線
７１〜７３  縫製線
８１        乳房カップ部
８２        土台布
８５        カップワイヤ
８５ａ      芯材
８５ｂ      バイアステープ
８６        表布
Ｐ１〜Ｐ４  測定ポイント
１０１      カップワイヤ
１０２      バイアステープ
１０３      表布
１０４      カップ裏打
１０５      乳房カップ部
１０６      土台布
【図１】
2004332143.tif 000004
【図２】
2004332143.tif 000005
【図３】
2004332143.tif 000006
【図４】
2004332143.tif 000007
【図５】
2004332143.tif 000008
【図６】
2004332143.tif 000009
【図７】
2004332143.tif 000010
【図８】
2004332143.tif 000011
【図９】
2004332143.tif 000012
【図１０】
2004332143.tif 000013
【図１１】
2004332143.tif 000014
【図１２】
2004332143.tif 000015
【図１３】
2004332143.tif 000016